(57)【要約】【課題】構成を簡素化することができる加熱調理器を提供すること。【解決手段】加熱調理器は、ユーザが触れる操作面を有する絶縁性の操作板と、操作面の下で操作板に接触し、上面に電極を有する基板と、基板の下面に接触し、基板を支持する樹脂板と、樹脂板の下面に接触し、樹脂板を上方に付勢するバネと、操作面と電極との静電容量を算出する制御部と、を備える。【選択図】図４
2020204420.tif 000002
【特許請求の範囲】
【請求項１】
ユーザが触れる操作面を有する絶縁性の操作板と、
前記操作面の下で前記操作板に接触し、上面に電極を有する基板と、
前記基板の下面に接触し、前記基板を支持する樹脂板と、
前記樹脂板の下面に接触し、前記樹脂板を上方に付勢するバネと、
前記操作面と前記電極との静電容量を算出する制御部と、を備える、加熱調理器。
【請求項２】
前記樹脂板において前記基板に対向する位置に、上下方向に貫通する切込みが形成される、請求項１に記載の加熱調理器。
【請求項３】
前記切込みは、左右方向に延びる部分を有する、請求項２に記載の加熱調理器。
【請求項４】
前記樹脂板において、前記切込みにより、固定端と自由端とを有する片が形成される、請求項２又は３に記載の加熱調理器。
【請求項５】
前記操作板の前記操作面は、第１操作ボタンと、前記第１操作ボタンとは異なる第２操作ボタンとを有し、
前記基板の前記電極は、前記第１操作ボタンに対向する第１電極と、前記第２操作ボタンに対向する第２電極とを有し、
前記片の前記自由端は、前記第１電極と前記第２電極の間と対向する位置に配置される、請求項４に記載の加熱調理器。
【請求項６】
前記バネは、前記片の前記自由端と対向する位置に配置される、請求項５に記載の加熱調理器。
【請求項７】
前記片の前記自由端には円弧状の外周を有する自由片が形成されており、
前記自由片の最大幅は、前記固定端の最大幅よりも大きい、請求項４から６のいずれか１つに記載の加熱調理器。
【請求項８】
前記固定端の内側には前記樹脂板を上下方向に貫通する切込みが形成されている、請求項４から７のいずれか１つに記載の加熱調理器。
【請求項９】
前記樹脂板および前記バネを下方から保持する保持部材をさらに備え、
前記樹脂板は、前記保持部材に向かって下方に延びる突起を有し、
前記保持部材は、前記樹脂板の前記突起を水平方向の移動を規制しながら上下方向に摺動可能に収容する収容部を有する、請求項１から８のいずれか１つに記載の加熱調理器。
【請求項１０】
前記操作板は、誘導加熱調理器のトッププレートである、請求項１から９のいずれか１つに記載の加熱調理器。
【請求項１１】
前記操作板の前記操作面は、
火力を最大値に制御する指示を受け付ける火力最大ボタンと、
火力をコマ送りに制御する指示を受け付ける火力調整ボタンと、
前記火力最大ボタンと前記火力調整ボタンとの間に配置された別の操作ボタンと、を有する、請求項１から１０のいずれか１つに記載の加熱調理器。
【請求項１２】
前記操作面は、前記火力最大ボタンと、前記火力調整ボタンと、前記別の操作ボタンと、を含む複数の操作ボタンを有し、
前記火力最大ボタンは、前記複数の操作ボタンにおける端の操作ボタンとして設けられている、請求項１１に記載の加熱調理器。
【請求項１３】
前記樹脂板の下方には、前記基板に電気的に接続された別の基板が配置されている、請求項１から１２のいずれか１つに記載の加熱調理器。
【請求項１４】
前記バネは左右方向に沿って複数並べて設けられており、
前記複数のバネにおける隣接するバネ同士は、前後方向の位置がオフセットされている、請求項１から１３のいずれか１つに記載の加熱調理器。
【発明の詳細な説明】
【技術分野】
【０００１】
本開示は、加熱調理器に関する。
【背景技術】
【０００２】
従来、この種の加熱調理器として種々の構造のものが知られている。例えば、食品などの被加熱物を誘導加熱方式により加熱する誘導加熱調理器が知られている。従来の誘導加熱調理器として、例えば、被加熱物が載置される絶縁性のトッププレートを設け、トッププレートの前縁部に静電容量式のタッチ入力部を設けたものが知られている（特許文献１参照）。
【０００３】
特許文献１の加熱調理器は、トッププレートの下方空間に、操作表示基板と保持部材を備える。操作表示基板はタッチ入力部の下に配置され、静電式のタッチキー方式による入力部品を有する。保持部材はトッププレートの下面外周を保持し、操作表示基板をトッププレートに固定する。
【先行技術文献】
【特許文献】
【０００４】
【特許文献１】特許第５４３９３０４号公報
【発明の概要】
【発明が解決しようとする課題】
【０００５】
しかしながら、特許文献１に開示される加熱調理器では、操作表示基板をトッププレートに固定するための保持部材が必要であり、構成が複雑になっていた。特許文献１に開示される構成を含めて、加熱調理器の構成を簡素化することに関して未だ改善の余地があるといえる。
【０００６】
従って、本開示の目的は、前記問題を解決することにあって、構成を簡素化することができる加熱調理器を提供することにある。
【課題を解決するための手段】
【０００７】
本開示の一態様の加熱調理器は、ユーザが触れる操作面を有する絶縁性の操作板と、前記操作面の下で前記操作板に接触し、上面に電極を有する基板と、前記基板の下面に接触し、前記基板を支持する樹脂板と、前記樹脂板の下面に接触し、前記樹脂板を上方に付勢するバネと、前記操作面と前記電極との静電容量を算出する制御部と、を備える。
【発明の効果】
【０００８】
本開示の加熱調理器によれば、構成を簡素化することができる。
【図面の簡単な説明】
【０００９】
【図１】実施形態における加熱調理器の斜視図
【図２】実施形態における加熱調理器の平面図
【図３】実施形態における操作ユニットの斜視図
【図４】実施形態における操作ユニットの分解斜視図
【図５Ａ】実施形態における樹脂板の突起を保持部材の収容部に挿通した状態を示す図
【図５Ｂ】実施形態における樹脂板の突起を保持部材の収容部に挿通した状態を示す図
【図６】実施形態における保持部材の溝にバネを収容した状態の平面図
【図７】実施形態における電極、基板および樹脂板を上から見た斜視図と、下から見た斜視図を上下にそれぞれ示す図
【図８】実施形態における切込みの拡大平面図
【図９Ａ】実施形態における操作面に設けられた操作ボタンを示す平面図
【図９Ｂ】実施形態における操作面に設けられた操作ボタンを示す平面図
【図９Ｃ】実施形態における操作面に設けられた操作ボタンを示す平面図
【図１０Ａ】実施形態における樹脂板と操作ボタンを平面視した図
【図１０Ｂ】実施形態における樹脂板と操作ボタンを平面視した図
【発明を実施するための形態】
【００１０】
第１の発明は、ユーザが触れる操作面を有する絶縁性の操作板と、前記操作面の下で前記操作板に接触し、上面に電極を有する基板と、前記基板の下面に接触し、前記基板を支持する樹脂板と、前記樹脂板の下面に接触し、前記樹脂板を上方に付勢するバネと、前記操作面と前記電極との静電容量を算出する制御部と、を備える、加熱調理器である。
【００１１】
このような構成によれば、バネによって樹脂板を上方に付勢することで、基板上の電極を操作板の下面に押し付けて接触状態を保つことができる。これにより、基板や電極を操作板に固定する構成が必要なく、加熱調理器の構成を簡素化することができる。
【００１２】
第２の発明は、特に、第１の発明における前記樹脂板において前記基板に対向する位置に、上下方向に貫通する切込みが形成される。
【００１３】
このような構成によれば、切込みによって樹脂板の弾性を増加させることができ、樹脂板および基板の形状変化が容易になる。これにより、操作板の形状に応じて、基板上の電極を操作板に精度良く押し付けることができる。
【００１４】
第３の発明は、特に、第２の発明における前記切込みは、左右方向に延びる部分を有する。
【００１５】
このような構成によれば、樹脂板および基板の弾性を幅広い範囲で増加させることができ、操作面が左右に長い場合であっても基板上の電極を操作板に精度良く押し付けることができる。
【００１６】
第４の発明は、特に、第２の発明又は第３の発明における前記樹脂板において、前記切込みにより、固定端と自由端とを有する片が形成される。
【００１７】
このような構成によれば、片を形成することにより、片を含む周辺領域で樹脂板の弾性を増加させることができる。
【００１８】
第５の発明は、特に、第４の発明における前記操作板の前記操作面は、第１操作ボタンと、前記第１操作ボタンとは異なる第２操作ボタンとを有し、前記基板の前記電極は、前記第１操作ボタンに対向する第１電極と、前記第２操作ボタンに対向する第２電極とを有し、前記片の前記自由端は、前記第１電極と前記第２電極の間と対向する位置に配置される。
【００１９】
このような構成によれば、２つの操作ボタンと２つの電極を１つの片で対応することができる。
【００２０】
第６の発明は、特に、第５の発明における前記バネは、前記片の前記自由端と対向する位置に配置される。
【００２１】
このような構成によれば、２つの電極と操作ボタンを１つのバネで対応することができる。
【００２２】
第７の発明は、特に、第４の発明から第６の発明のいずれか１つにおける前記片の前記自由端には円弧状の外周を有する自由片が形成されており、前記自由片の最大幅は、前記固定端の最大幅よりも大きい。
【００２３】
このような構成によれば、バネによる付勢力を自由片によってバランス良く受けることができる。また、自由片の最大幅よりも固定端の最大幅を小さくすることで、固定端を弾性変形しやすいようにしている。
【００２４】
第８の発明は、特に、第４の発明から第７の発明のいずれか１つにおける前記固定端の内側には前記樹脂板を上下方向に貫通する切込みが形成されている。
【００２５】
このような構成によれば、樹脂板がさらに弾性変形しやすくなる。
【００２６】
第９の発明は、特に、第１の発明から第８の発明のいずれか１つにおける前記樹脂板および前記バネを下方から保持する保持部材をさらに備え、前記樹脂板は、前記保持部材に向かって下方に延びる突起を有し、前記保持部材は、前記樹脂板の前記突起を水平方向の移動を規制しながら上下方向に摺動可能に収容する収容部を有する。
【００２７】
このような構成によれば、樹脂板および基板を水平方向に位置決めすることができ、基板上の電極を操作板に対して精度良く押し付けることができる。
【００２８】
第１０の発明は、特に、第１の発明から第９の発明のいずれか１つにおける前記操作板は、誘導加熱調理器のトッププレートである。
【００２９】
このような構成によれば、誘導加熱調理器に適用することができる。
【００３０】
第１１の発明は、特に、第１の発明から第１０の発明のいずれか１つにおける前記操作板の前記操作面は、火力を最大値に制御する指示を受け付ける火力最大ボタンと、火力をコマ送りに制御する指示を受け付ける火力調整ボタンと、前記火力最大ボタンと前記火力調整ボタンとの間に配置された別の操作ボタンと、を有する。
【００３１】
このような構成によれば、火力最大ボタンと火力調整ボタンを設けることで、火力の制御に関するユーザの利便性を向上させることができる。また、それらの間に別の操作ボタンを設けることで、両ボタンの押し間違いを抑制することができる。
【００３２】
第１２の発明は、特に、第１１の発明における前記操作面は、前記火力最大ボタンと、前記火力調整ボタンと、前記別の操作ボタンと、を含む複数の操作ボタンを有し、前記火力最大ボタンは、前記複数の操作ボタンにおける端の操作ボタンとして設けられている。
【００３３】
このような構成によれば、火力最大操作ボタンが誤って押される可能性を低減することができ、安全性を向上させることができる。
【００３４】
第１３の発明は、特に、第１の発明から第１２の発明のいずれか１つにおける前記樹脂板の下方には、前記基板に電気的に接続された別の基板が配置されている。
【００３５】
このような構成によれば、基板を２つ設けることで、より柔軟な制御が可能となる。
【００３６】
第１４の発明は、特に、第１の発明から第１３の発明のいずれか１つにおける前記バネは左右方向に沿って複数並べて設けられており、前記複数のバネにおける隣接するバネ同士は、前後方向の位置がオフセットされている。
【００３７】
このような構成によれば、バネを前後方向にずらして配置することで、樹脂板をよりバランス良く付勢することができる。
【００３８】
（実施形態）
以下に、本発明に係る実施形態を図面に基づいて詳細に説明する。
【００３９】
図１、図２は、実施形態に係る加熱調理器２の概略構成を示す図である。図１は、加熱調理器２の斜視図であり、図２は、加熱調理器２の平面図である。図１、図２において、左右方向をＡ方向、前後方向をＢ方向、上下方向をＣ方向とする。
【００４０】
図１、図２に示す加熱調理器２は、被加熱物である食品（図示せず）を加熱して調理する機器である。本実施形態の加熱調理器２は、誘導加熱方式により被加熱物を加熱する誘導加熱調理器であり、「ＩＨクッキングヒーター」とも称する。
【００４１】
図１に示すように、加熱調理器２は、トッププレート４と、筐体６とを備える。
【００４２】
トッププレート４は、被加熱物を載置して加熱するためのプレート状の部材である。トッププレート４は絶縁性の材料から形成される（例えばガラスやセラミックス）。筐体６はトッププレート４を下方から支持し、トッププレート４との間に各種部品を収容する箱状の部材である。システムキッチンの天板に設けた開口部に筐体６を嵌め込むことで、加熱調理器２がキッチンに据え付けられる。
【００４３】
図２に示すように、トッププレート４の上面には、加熱面８と、表示面１０と、操作面１２とが設けられる。
【００４４】
加熱面８は、被加熱物を載置して加熱するための表面領域である。加熱面８には、被加熱物の載置場所を案内する案内表示部（図示せず）が設けられてもよい。表示面１０は、加熱調理器２の運転に関する情報を表示する表面領域である。本実施形態の表示面１０はフルドット液晶パネルである。操作面１２は、ユーザが加熱調理器２を操作するための表面領域である。操作面１２には複数の操作ボタンが設けられている。
【００４５】
本実施形態の操作面１２は、第１操作面１２Ａと、第２操作面１２Ｂとを有する。それぞれの操作面１２Ａ、１２Ｂに複数の操作ボタンが設けられている。操作ボタンの詳細については後述する。
【００４６】
本実施形態では、操作面１２として静電容量式のタッチパネルが用いられている。ユーザが操作面１２の操作ボタンをタッチすることにより、加熱調理器２の各種操作を行うことができる。
【００４７】
静電容量式のタッチパネルを採用しているため、操作面１２の下方には、電極や基板を含む操作ユニットが設けられている。操作ユニットの構成について、図３を用いて説明する。
【００４８】
図３は、操作ユニット１３の斜視図である。図３では、図２に示した操作面１２Ｂの直下に設けられる操作ユニット１３を示す。操作面１２Ａの直下にも同様の構成の操作ユニットが設けられるが、図示と説明を省略する。
【００４９】
図３に示すように、操作ユニット１３は、複数の電極１４と、基板１６と、樹脂板１７と、保持部材１８とを備える。
【００５０】
電極１４は、基板１６の上面に形成された電極である。複数の電極１４が、左右方向であるＡ方向に沿って一列に並べられている。本実施形態の電極１４は、基板１６上に銅箔で形成されたベタ電極である。
【００５１】
基板１６は、電極１４を上面に形成して支持する基板である。基板１６には、電極１４と電気的に接続する配線が内蔵されている。配線は、コネクタを介して他の基板（たとえば後述の基板２２）に接続されている。本実施形態の基板１６は、電極１４の配列方向に沿ってＡ方向に細長く形成された板状の部材である。
【００５２】
電極１４および基板１６は、前述したトッププレート４の操作面１２の直下に配置され、トッププレート４の下面に押し当てられる。電極１４は基板１６の上面に張り付けられており、基板１６の形状変化に応じて電極１４の形状も変化する。
【００５３】
樹脂板１７は、電極１４および基板１６を下方から支持する絶縁性の部材である。樹脂板１７は基板１６の下面に接触し、基板１６を下方から支持する。本実施形態の樹脂板１７は、基板１６と同様にＡ方向に細長い板状の部材である。樹脂板１７は、基板１６の下面に両面テープで接着される。
【００５４】
保持部材１８は、樹脂板１７を下方から保持する部材である。保持部材１８によって、電極１４、基板１６および樹脂板１７が保持される。本実施形態の保持部材１８は、樹脂板１７と同じ絶縁性の樹脂材料から形成される。
【００５５】
図３に示した操作ユニット１３の分解斜視図を図４に示す。図３では図示を省略していたが、図４に示すように、操作ユニット１３にはさらに、複数のバネ２０と１つの基板２２とが設けられる。
【００５６】
複数のバネ２０は、樹脂板１７を上方に付勢する付勢部材である。バネ２０は、保持部材１８に設けられた複数の凹部２４にそれぞれ収容された状態で、樹脂板１７を上方に付勢する。本実施の形態の複数のバネ２０は、電極１４および基板１６に接触・導通しておらず、電気配線として機能していない。
【００５７】
図４に示すように、樹脂板１７には複数の突起２６が設けられている。突起２６は、樹脂板１７から保持部材１８に向かって下方に延びる突起である。突起２６は、保持部材１８に設けられた収容部２８に収容される。
【００５８】
収容部２８は、突起２６を受ける輪状の部分である。収容部２８は、突起２６を上下方向に移動可能に収容する。
【００５９】
突起２６を収容部２８に挿通した状態を図５Ａ、図５Ｂに示す。図５Ａでは、突起２６が収容部２８に挿通されるとともに、樹脂板１７が保持部材１８の上面に接触している。このとき、収容部２８に挿通された突起２６は上下方向には移動可能であるため、図５Ｂに示すように、突起２６を有する樹脂板１７および基板１６はバネ２０の付勢力によって浮き上がることができる。これにより、基板１６および基板１６上の電極１４をトッププレート４の下面に向けて上昇させて接触させることができ、さらにその接触状態を維持することができる。このため、基板１６をトッププレート４の下面に固定する構成が必要なくなり、加熱調理器２の構成を簡素化することができる。
【００６０】
収容部２８に収容された突起２６は上下方向に移動可能でありながら、水平方向への移動は規制される。このため、樹脂板１７および基板１６を水平方向に位置決めすることができる。これにより、基板１６と電極１４をトッププレート４に精度良く押し付けることができる。
【００６１】
図４、図５Ａ、図５Ｂに示すように、突起２６の先端には爪２６Ａが設けられている。爪２６Ａによって、収容部２８から突起２６が意図せずに脱落することが防止される。
【００６２】
図４に示す基板２２は、基板１６とは別の基板であって、配線等を介して基板１６に電気的に接続されている。基板２２は、操作ユニット１３の入力を受け付ける機能を有する。たとえば、基板２２は、操作面１２Ａ、１２Ｂと複数の電極１４との間の静電容量を算出し、算出された値に基づいて種々の制御信号を出力する。制御信号は、たとえば、加熱面８の下方にある各々の加熱コイル（図示せず）の出力を制御する命令であり、加熱コイルに併設されたインバータ基板（図示せず）に送信される。基板２２は、インバータ基板に電気的に接続されており、現在の加熱状態をインバータ基板から受信し、操作面１２Ａ、１２Ｂに加熱状態を表示させる機能を有する。インバータ基板は、基板２２からの制御信号が入力され、コイルの加熱を制御する機能を有する。これらの基板を電気的に接続することによって、加熱調理器２の運転を制御する「制御部」が構成される。
【００６３】
図４に示したバネ２０が保持部材１８の溝２４に収容された状態の平面図を図６に示す。
【００６４】
図６に示すように、複数のバネ２０は、左右方向であるＡ方向に沿って一列に配列され、かつ、Ｂ方向に互いにオフセットして配置されている。言い換えれば、複数のバネ２０における隣接するバネ２０同士の前後方向の位置がオフセットされている。このような配置により、樹脂板１７をよりバランス良く付勢することができる。
【００６５】
次に、操作ユニット１３における電極１４、基板１６および樹脂板１７の関係について、図７を用いて説明する。図７は、電極１４、基板１６および樹脂板１７を上から見た斜視図と、下から見た斜視図を上下にそれぞれ示す図である。
【００６６】
図７に示すように、樹脂板１７には、複数の切込み３０が形成されている。切込み３０は、樹脂板１７を厚み方向に貫通する貫通孔である。切込み３０を設けることにより、切込み３０の周辺において樹脂板１７の弾性を増加させることができる。これにより、樹脂板１７と基板１６の形状変化が容易になり、基板１６および電極１４をトッププレート４の下面により密着させて精度良く押し付けることができる。
【００６７】
図７に示した切込み３０の拡大図を図８に示す。図８に示すように、本実施形態の切込み３０は、直線部３２と、曲線部３４とを有する。
【００６８】
直線部３２は直線状に延びる部分であって、図８に示すように左右方向であるＡ方向に延びる。直線部３２は２本設けられており、前後方向であるＢ方向に間隔をあけて平行に配置されている。２本の直線部３２はそれぞれ曲線部３４の端部に接続される。
【００６９】
曲線部３４は曲線状に延びる部分である。図８に示すように、曲線部３４は円弧状に形成される。
【００７０】
直線部３２のように左右方向に延びる部分を設けることで、樹脂板１７と基板１６の弾性を幅広い範囲で増加させることができる。操作面１２が左右方向に長い場合であっても、基板１６と電極１４をトッププレート４に精度良く押し付けることができる。
【００７１】
上述した形状を有する切込み３０を設けることで、切込み３０の内側には樹脂板１７の片３６が形成される。本実施形態の片３６は、固定端３８と、自由端４０とを有する。
【００７２】
図８の点線で示すように、自由端４０に対向する位置にバネ２０が配置される。バネ２０が自由端４０に接触することで、樹脂板１７において特に弾性の高い箇所をバネ２０で押圧することになり、バネ２０による付勢力を樹脂板１７に効率的に伝えることができる。
【００７３】
自由端４０の周囲は、固定端３８を除いて切込み３０によって囲まれており、自由端４０は自由片を構成している。このような自由片としての自由端４０を設けることによって、バネ２０による付勢力を樹脂板１７により効率的に伝えることができる。
【００７４】
さらに本実施形態では、固定端３８の最大幅である横幅Ｄ１を、自由端４０の最大幅である直径Ｄ２よりも小さく設定している。このように、自由端４０の最大幅を大きくとることで、バネ２０による付勢力を自由端４０によってバランス良く受けることができる。
【００７５】
固定端３８の内側には切欠き４１が設けられている。切欠き４１は切欠き３０とは独立した切欠きであり、直線部３２と平行にＡ方向に延びている。このような切欠き４１を設けることで、固定端３８の弾性を増加させることができる。
【００７６】
図７に戻ると、切込み３０の自由端４０およびバネ２０は２つの電極１４の間に対向する位置に配置されている。２つの電極１４に対して１つの切込み３０およびバネ２０を対応させており、電極１４の数に対してバネ２０と切込み３０の数を間引いている。これにより、電極１４に対してバネ２０と切込み３０を一対一で設ける場合に比べて、操作ユニット１３の製造コストや手間を低減することができる。
【００７７】
図７に示すように、本実施形態では、複数の切込み３０において隣接する切込み３０の向きを異ならせている（すなわち、左向きと右向き）。ただし、このような場合に限らず、切込み３０の向きを同じ向きに統一してもよい。
【００７８】
次に、図２に示した操作面１２Ａ、１２Ｂに設けられる操作ボタンについて、図９Ａ〜図９Ｃを用いて説明する。
【００７９】
図９Ａは、第１操作面１２Ａに設けられた操作ボタン４２を示し、図９Ｂは、第２操作面１２Ｂの左側に設けられた操作ボタン４２を示し、図９Ｃは、第２操作面１２Ｂの右側に設けられた操作ボタン４２を示す。
【００８０】
図９Ａに示すように、第１操作面１２Ａには６つの操作ボタン４２Ａ〜４２Ｆが設けられている。操作ボタン４２Ａは、「フライパンモード」を選択する指示を受け付けるボタンである。操作ボタン４２Ｂは、「揚げ物モード」を選択する指示を受け付けるボタンである。操作ボタン４２Ｃは、火力をコマ送りに減らす指示を受け付けるボタンである。操作ボタン４２Ｄは、火力をコマ送りに増やす指示を受け付けるボタンである。操作ボタン４２Ｅは、タイマー機能を操作する指示を受け付けるボタンである。操作ボタン４２Ｆは、加熱面８において、第１操作面１２Ａに対応する領域での加熱のＯＮ／ＯＦＦを切り替える指示を受け付けるボタンである。
【００８１】
図９Ｂに示すように、第２操作面１２Ｂの左側には６つの操作ボタン４２Ｇ〜４２Ｌが設けられている。操作ボタン４２Ｇは、火力を最大値に制御する指示を受け付けるボタンである。操作ボタン４２Ｈは、「お粥モード」を選択する指示を受け付けるボタンである。操作ボタン４２Ｉは、火力をコマ送りに減らす指示を受け付けるボタンである。操作ボタン４２Ｊは、火力をコマ送りに増やす指示を受け付けるボタンである。操作ボタン４２Ｋは、タイマー機能を操作する指示を受け付けるボタンである。操作ボタン４２Ｌは、加熱面８において、第２操作面１２Ｂに対応する領域での加熱のＯＮ／ＯＦＦを切り替える指示を受け付けるボタンである。
【００８２】
図９Ｃに示すように、第２操作面１２Ｂの右側には２つの操作ボタン４２Ｍ、４２Ｎが設けられている。操作ボタン４２Ｍは、操作面１２における操作のロック／ロック解除を切り替える指示を受け付けるボタンである。操作ボタン４２Ｎは、加熱調理器２の電源のＯＮ／ＯＦＦを切り替える指示を受け付けるボタンである。
【００８３】
図９Ｂに示す例では、火力を最大値に設定する「火力最大ボタン」である操作ボタン４２Ｇを左端に配置している。図９Ｂに示す操作ボタン４２Ｇ〜４２Ｌのグループにおける端のボタンとして火力最大ボタンを設けることにより、火力最大ボタンが誤って押されることを抑制することができ、安全性を向上させることができる。
【００８４】
図９Ｂに示す例では、操作ボタン４２Ｇ以外に、火力を調整する「火力調整ボタン」として２つの操作ボタン４２Ｉ、４２Ｊを設けている。さらに、火力最大ボタンである操作ボタン４２Ｇと、火力調整ボタンである４２Ｉ、４２Ｊとの間に別のボタンとして操作ボタン４２Ｈを設けている。このような配置によれば、火力最大ボタンと火力調整ボタンの押し間違いを抑制することができる。
【００８５】
図９Ａ〜図９Ｃに示した操作ボタン４２Ａ〜４２Ｎのそれぞれに対応して、図３等に示した複数の電極１４が設けられている。操作ボタン４２Ａ〜４２Ｎのそれぞれの直下に１つの電極１４が配置されており、操作ボタン４２の１つがユーザによって押されると、押された操作ボタン４２の直下にある電極１４とトッププレート４の間の静電容量が変化する。基板１６等の制御部は当該静電容量を算出し、静電容量の変化を制御信号として検出する。
【００８６】
図７に示したように、２つの電極１４に対して１つのバネ２０および１つの切込み３０が設けられている中で、切込み３０と操作ボタン４２の位置関係について、図１０Ａ、図１０Ｂを用いて説明する。
【００８７】
図１０Ａ、図１０Ｂは、樹脂板１７を平面視したときに、樹脂板１７を実線で示すとともに、図９Ｂ、図９Ｃに示した操作ボタン４２Ｇ〜４２Ｎを点線で示す図である。
【００８８】
図１０Ａ、図１０Ｂに示すように、樹脂板１７の切込み３０のそれぞれは、２つの操作ボタン４２にまたがる領域に形成されている。切込み３０によって形成される片３６の自由端４０は、２つの操作ボタン４２の間の位置に対向するように設けられている。自由端４０を含む周辺領域で樹脂板１７の弾性を増やすことができるため、１つの自由端４０だけで、２つの操作ボタン４２を含む領域の弾性を増加させることができる。このように、操作ボタン４２の数に対して切込み３０の数を間引いて設けることで、操作ユニット１３の製造コストや手間を低減することができる。
【００８９】
すなわち、トッププレート４の操作面１２は、第１操作ボタン４２と、第１操作ボタン４２とは異なる第２操作ボタン４２とを有し、電極１４は、第１操作ボタン４２に対向する第１電極１４と、第２操作ボタン４２に対向する第２電極１４とを有する。また、片３６の自由端４０は、第１電極１４と第２電極１４の間と対向する位置に配置される。このような構成によれば、２つの操作ボタン４２と２つの電極１４を１つの片３６で対応することができる。
【００９０】
上述したように、本実施形態の加熱調理器２は、トッププレート４と、基板１６と、樹脂板１７と、バネ２０と、制御部とを備える。トッププレート４は、ユーザが触れる操作面１２を有する絶縁性の部材である。基板１６は、操作面１２の下でトッププレート４に接触し、上面に電極１４を有する部材である。樹脂板１７は、基板１６の下面に接触し、基板１６を支持する部材である。バネ２０は、樹脂板１７の下面に接触し、樹脂板１７を上方に付勢する。制御部は、操作面１２と電極１４との静電容量を算出する部材である。
【００９１】
このような構成によれば、バネ２０によって樹脂板１７を上方に付勢することで、基板１６上の電極１４をトッププレート４の下面に押し付けることができる。このため、基板１６や電極１４をトッププレート４に固定する構成が必要なく、加熱調理器２の構成を簡素化することができる。
【００９２】
以上、上述の実施形態を挙げて本開示の発明を説明したが、本開示の発明は上述の実施形態に限定されない。例えば、実施形態では、加熱調理器２が誘導加熱方式により被加熱物を加熱する誘導加熱調理器である場合について説明したが、このような場合に限らない。ガスコンロ等の任意の加熱調理器に同様の構成を適用してもよい。ガスコンロ等の場合も同様に、トッププレート４としてユーザが触れる操作面を有する絶縁性の操作板を設ければよい。
【００９３】
本開示は、添付図面を参照しながら好ましい実施形態に関連して充分に記載されているが、この技術の熟練した人々にとっては種々の変形や修正は明白である。そのような変形や修正は、添付した特許請求の範囲による本開示の範囲から外れない限りにおいて、その中に含まれると理解されるべきである。また、各実施形態における要素の組合せや順序の変化は、本開示の範囲及び思想を逸脱することなく実現し得るものである。
【産業上の利用可能性】
【００９４】
本開示は、被加熱物を加熱調理する加熱調理器であれば適用可能である。
【符号の説明】
【００９５】
２  加熱調理器
４  トッププレート
６  筐体
８  加熱面
１０  表示面
１２  操作面
１２Ａ  第１操作面
１２Ｂ  第２操作面
１３  操作ユニット
１４  電極
１６  基板
１７  樹脂板
１８  保持部材
２０  バネ
２２  基板
２４  収容部
２６  突起
２６Ａ  爪
２８  収容部
３０  切込み
３２  直線部
３４  曲線部
３６  片
３８  固定端
４０  自由端（自由片）
４１  切欠き
４２、４２Ａ〜４２Ｎ  操作ボタン
【図１】
2020204420.tif 000003
【図２】
2020204420.tif 000004
【図３】
2020204420.tif 000005
【図４】
2020204420.tif 000006
【図５Ａ】
2020204420.tif 000007
【図５Ｂ】
2020204420.tif 000008
【図６】
2020204420.tif 000009
【図７】
2020204420.tif 000010
【図８】
2020204420.tif 000011
【図９Ａ】
2020204420.tif 000012
【図９Ｂ】
2020204420.tif 000013
【図９Ｃ】
2020204420.tif 000014
【図１０Ａ】
2020204420.tif 000015
【図１０Ｂ】
2020204420.tif 000016